(57)【要約】【課題】スピーカ装置内にヨークを簡易に取り付ける。【解決手段】磁気回路系部分が振動系部分と共にフレームの凹部内に収容されたスピーカ装置において、磁気回路系部分のヨークがフレームの前方から挿入され、このヨークの底がフレームの凹部の底にスナップ係止手段により固定される。ヨークをフレームの凹部内にワンタッチでかつ正確に取り付けることができる。【選択図】      図４
2004312338.tif 000002
【特許請求の範囲】
【請求項１】
磁気回路系部分が振動系部分と共にフレームの凹部内に収容されたスピーカ装置において、磁気回路系部分のヨークがフレームの前方又は後方から挿入され、このヨークの底がフレームの凹部の底にスナップ係止手段により固定されたことを特徴とするスピーカ装置。
【請求項２】
請求項１に記載のスピーカ装置において、スナップ係止手段がフレームの軸心を取り巻くようにヨークの底とフレームの凹部の底に形成された嵌合雌雄部であり、この嵌合雌雄部がヨークをフレームの凹部内に前方又は後方から挿入しフレームの軸心の回りに捩ることにより嵌合するように形成されたことを特徴とするスピーカ装置。
【請求項３】
請求項１に記載のスピーカ装置において、振動系部分におけるダンパとコーンとボイスコイルボビンとが連結部材を介して連結され、この連結部材がヨークの円筒部の入り込む環状溝を備えていることを特徴とするスピーカ装置。
【請求項４】
請求項３に記載のスピーカ装置において、連結部材のダンパとコーンに接する箇所がスカート部として形成され、このスカート部に多数のリブが設けられたことを特徴とするスピーカ装置。
【請求項５】
請求項３又は請求項４に記載のスピーカ装置において、連結部材のボイスコイルボビンに接する箇所にフレームの後方側に傾く傾斜面が形成され、この傾斜面に多数の突起又は溝が設けられたことを特徴とするスピーカ装置。
【請求項６】
請求項３乃至請求項５のいずれかに記載のスピーカ装置において、連結部材のダンパに接する箇所にフレームの前方側に開く環状溝が形成されたことを特徴とするスピーカ装置。
【請求項７】
請求項３乃至請求項６のいずれかに記載のスピーカ装置において、連結部材に接するダンパの内周縁がフレームの前方側に屈曲し、コーンの内周縁がダンパの内周縁を取り巻くようにフレームの後方側に屈曲していることを特徴とするスピーカ装置。
【発明の詳細な説明】
【０００１】
【発明の属する技術分野】
本発明は、スピーカ装置に関する。
【０００２】
【従来の技術】
従来のスピーカ装置において、磁気回路系部分が振動系部分と共にフレームの凹部内に収容される場合、磁気回路系部分のヨークはフレームに対してカシメ、溶接、接着剤等により固定される（例えば、特許文献１，２参照。）。
【０００３】
また、従来のスピーカ装置において、振動系部分のコーン及びダンパは磁気回路系部分のヨークに被さるような連結部材を介してボイスコイルボビンに接合され、連結部材に対するコーン、ダンパ及びボイスコイルボビンの接合には接着剤が用いられる（例えば、特許文献１，２参照。）。
【特許文献１】
特開２００２−５１３９４号公報
【特許文献２】
特開２００２−２７１８９３号公報
【０００４】
【発明が解決しようとする課題】
従来におけるヨークをフレームに対しカシメ等により固定する方式では、その不都合な点として、固定操作が面倒で時間がかかり、位置関係にズレを生じるということが一例として挙げられる。
【０００５】
また、従来の連結部材に対するコーン、ダンパ及びボイスコイルボビンの接合方式では、接合部に剥離を生じやすいという点が不都合な例として挙げられる。
【０００６】
【課題を解決するための手段】
請求項１に係る発明は、磁気回路系部分が振動系部分と共にフレームの凹部内に収容されたスピーカ装置において、磁気回路系部分のヨークがフレームの前方又は後方から挿入され、このヨークの底がフレームの凹部の底にスナップ係止手段により固定されたことを特徴とする。
【０００７】
また、請求項３に係る発明は、請求項１に記載のスピーカ装置において、振動系部分におけるダンパとコーンとボイスコイルボビンとが連結部材を介して連結され、この連結部材がヨークの円筒部の入り込む環状溝を備えていることを特徴とする。
【０００８】
【発明の実施の形態】
以下、本発明に係るスピーカ装置の実施の形態について図面を参照して説明する。
＜実施の形態１＞
図１乃至図３に示すように、このスピーカ装置においては、そのフレーム１の凹部内に磁気回路系部分が振動系部分と共に収容されている。
【０００９】
フレーム１は全体として略椀型に形成され、その軸心ａが通る底部には磁気回路系部分を固定するための嵌め込み穴２が設けられている。フレーム１は軽量化等のためプラスチック材料で形成されるが、金属等他の材料で形成することもできる。
【００１０】
磁気回路系部分は、ヨーク３、マグネット４、プレート５等を備える。フレーム１の後方側から前方側に向かって即ちフレーム１の凹部の底から上側に向かってフレーム１の軸心ａに合致するようにヨーク３、マグネット４、プレート５の順で積み重ねられフレーム１に固定される。このようにヨーク３等の磁気回路系部分をフレーム１の凹部内に収納するので、スピーカ装置が全体として薄型化される。
【００１１】
ヨーク３は、図１乃至図４に示すように、内外二重の筒部３ａ，３ｂと、内筒部３ａの上端を閉じる端板３ｃとを具備する。内外筒部３ａ，３ｂの底同士はリング状の底板３ｄにより接合される。端板３ｃ上にはそれぞれ円盤形の上記マグネット４とプレート５が積み重ねられて固定される。ヨーク３の内筒部３ａ、マグネット４及びプレート５の外周面は環状の隙間６を空けてヨーク３の外筒部３ｂの内周面に対峙する。これにより、ヨーク３の外筒部３ｂとヨーク３の内筒部３ａ、マグネット４及びプレート５との間の環状隙６内に磁路が形成される。
【００１２】
図２に示すように、ヨーク３の底板３ｄはフレーム１の嵌め込み穴２に嵌り込むように形成される。ヨーク３をフレーム１の嵌め込み穴２に嵌め込むことでスピーカ装置を薄くすることができる。この嵌め込み穴２は必要に応じて省略可能である。
【００１３】
また、図４に示すように、ヨーク３の底板３ｄの外周とフレーム１の嵌め込み穴２の内周との間にはスナップ係止手段が設けられ、ヨーク３がフレーム１の前方から凹部内に挿入され、このヨーク３の底板３ｄがフレーム１の凹部の底に係止され固定されるようになっている。スナップ係止手段を用いることでヨーク３はフレーム１にワンタッチ操作で簡易かつ迅速に装着される。フレーム１の凹部内の底は視認し難い箇所であるが、そのような箇所に対してヨーク３が簡易にかつ精度よく位置決めされた状態で固定される。
【００１４】
スナップ係止手段は、フレーム１の軸心ａを取り巻くようにヨーク３の底とフレーム１の凹部の底に形成された嵌合雌雄部として与えられる。図１乃至図４に示すように、雄部はヨーク３の底板３ｄの外周から等間隔で放射状に突出する複数個の板片７として形成され、雌部はフレーム１の嵌め込み穴２の内周に各板片７の嵌り込む溝８として形成される。すべての溝８を結ぶ円上において、すべての溝８の同じ片側には開口８ａが形成され、他の片側にはストッパ８ｂが形成される。これにより、ヨーク３をその底側からフレーム１の凹部内に矢印ｂ方向に挿入し、板片７を溝８内に侵入させてヨーク３をフレーム１の軸心ａの回りで矢印ｃ方向に捩ると、各板片７が各溝８内にその開口８ａから入り込みストッパ８ｂに当たって停止する。これにより嵌合雌雄部の嵌合が完了し、ヨーク３がフレーム１の適正位置に位置決めされた状態で固定される。
【００１５】
嵌合雌雄部としては上記板片７及び溝８に限らず、例えば突起をヨーク３とフレーム１とにフレーム１の軸心ａ方向にずれるように形成してもよい。ヨーク３をフレーム１の軸心ａ方向に押すとヨーク３側の突起がフレーム１側の突起を乗り越えるので、ヨーク３をフレーム１に抜けないよう固定することができる。この場合一方を突起にし他方を凹部とし突起を凹部に嵌め込むようにしてもよい。
【００１６】
図１乃至図３に示すように、振動系部分は、ダンパ９、コーン１０、ボイスコイルボビン１１、連結部材１２等を備える。
【００１７】
図２に示すように、ダンパ９は振動系部分をフレーム１に対し支持するためのもので、第一と第二のダンパ部９ａ，９ｂを二層に組み合わせることにより構成される。両ダンパ部９ａ，９ｂの外周縁は重なった状態でフレーム１の凹部内中程度の深さの位置に接着剤等により固定される。両ダンパ部９ａ，９ｂの内周縁は連結部材１２に接着剤等により別々に固定される。第一と第二のダンパ部９ａ，９ｂのいずれか一方を省略することも可能であり、第三、第四・・のダンパ部を設けることも可能である。
【００１８】
図１及び図２に示すように、コーン１０はフレーム１の凹部内入口側に配置される。コーン１０の内周縁は上層の第一のダンパ部の内周縁と共に連結部材１２に接着剤（図示せず）により連結され、コーン１０の外周縁はフレーム１の凹部外周に沿って図１及び図３に示すパッキン１３により固定される。また、コーン１０の中央部はキャップ１４により遮蔽される。
【００１９】
図２に示すように、ボイスコイルボビン１１は、上記磁気回路系部分のヨーク３における環状隙間６内に挿入される円筒体であり、環状隙間６内に入るこの円筒体の下部にはボイスコイル１１ａが配置される。ボイスコイル１１ａに電気信号が流れることによりヨーク３の環状隙間６を通る磁路の作用でボイスコイルボビン１１がフレーム１の軸心ａ上で振動する。
【００２０】
連結部材１２は、図２に示すように、ダンパ９とコーン１０とボイスコイルボビン１１とを連結するためのもので、ヨーク３の円筒部である外筒部３ｂの入り込む環状溝１５を備えている。ボイスコイルボビン１１が振動してヨーク３の環状隙間６内をフレーム１の前後方向に往復直線運動すると、ヨーク３の外筒部３ｂがこの連結部材１２の環状溝１５内を相対的に往復直線運動する。
【００２１】
図２及び図５に示すように、連結部材１２は、ダンパ９とコーン１０が接合される略円筒形のスカート部１２ａ、ボイスコイルボビン１１が接合されるスカート部１２ａの内側に配置される略円筒形の垂下壁１２ｂ、スカート部１２ａの上端と垂下壁１２ｂの上端との間をつなぐリング状の天壁１２ｃ等を備える。上記環状溝１５はこのスカート部１２ａと垂下壁１２ｂとの間に形成される。
【００２２】
図５に示すように、スカート部１２ａの内外面には多数のリブ１６が一定間隔で設けられる。これらのリブ１６により連結部材１２が補強され、ダンパ９、コーン１０等が適正に保持される。
【００２３】
図２及び図５に示すように、スカート部１２ａにおける下層の第二のダンパ部９ｂに接する箇所に上向きの即ちフレーム１の前方側に開く略Ｕ字形の環状溝１７が形成される。第二のダンパ部９ｂの内周縁には下向きの即ちフレーム１の後方側に屈曲する屈曲片１８が形成され、この屈曲片１８がスカート部１２ａの上向きの環状溝１７内に侵入し、環状溝１７内に流し込まれ貯留される接着剤（図示せず）により第二のダンパ部９ｂが連結部材１２に強固に接合される。
【００２４】
図２に示すように、スカート部１２ａにおける上層の第一のダンパ部９ａとコーン１０が接する箇所にも接着剤１９が充填され貯留されるようになっている。すなわち、第一のダンパ部９ａの内周縁に上向きに即ちフレーム１の前方側に屈曲しスカート部１２ａに接する屈曲片２０が形成され、コーン１０の内周縁にダンパ部９ｂの内周縁を取り巻くように下向きに即ちフレーム１の後方側に屈曲する屈曲片１０ａが形成され、これらの屈曲片２０，１０ａとスカート部１２ａの三者で略Ｖ字形の環状溝が形成され、この環状溝内に接着剤１９が貯留される。これにより、第一のダンパ部９ａ及びコーン１０はスカート部１２ａに強固に接合される。
【００２５】
図２及び図５に示すように、連結部材１２のボイスコイルボビン１１に接する箇所である垂下壁１２ｂと天壁１２ｃとの境界にはフレーム１の後方側に傾く傾斜面２１が形成される。この傾斜面２１から天壁１２ｃにかけて多数の細溝２２が放射状に形成される。この傾斜面２１とボイスコイルボビン１１との間には略Ｖ字形断面の溝が環状に形成され、ボイスコイルボビン１１を連結部材１２に接合するための接着剤（図示せず）がこの環状溝に流し込まれ充填される。傾斜面２１上の細溝２２はこの接着剤によるボイスコイルボビン１１と連結部材１２との接合力を高める。この細溝２２に代えて多数の細かい突起を設けても同様に接合力を高めることができる。
【００２６】
次に、上記構成のスピーカ装置の作用について説明する。
【００２７】
このスピーカ装置を組み立てるに際し、図４に示すように、ヨーク３をフレーム１の凹部内へと矢印ｂ方向に挿入し、次いで矢印ｃ方向に捩る。これにより、スナップ係止手段の各板片７が各溝８内にその開口８ａから入り込みストッパ８ｂに当たって停止し、ヨーク３がフレーム１の所定位置に速やかに精度よく位置決めされ固定される。
【００２８】
ヨーク３は必要に応じてマグネット４、プレート５等と予め磁気回路系部分としてアセンブリ化され、一体でフレーム１に取り付けられる。
【００２９】
振動系部分のダンパ９、コーン１０、ボイスコイルボビン１１、連結部材１２等も必要に応じて予めアセンブリ化され、磁気回路系部分に被さるようにフレーム１の凹部内に挿入され、固定される。
【００３０】
このように磁気回路系部分と振動系部分とがフレーム１内に取り付けられることでスピーカ装置が組み立てられる。
【００３１】
そこで、ボイスコイル１１ａに電気信号が流されるとヨーク３の環状隙間６を通る磁路の作用でボイスコイルボビン１１がフレーム１の軸心ａ上で振動する。この振動は連結部材１２からコーン１０に伝わり、コーン１０が空気を振動させる。
【００３２】
連結部材１２は、そのスカート部１２ａの内外面に形成された多数のリブ１６により補強されているので、変形等することなくボイスコイルボビン１１の振動をコーン１０等に適正に伝達する。
【００３３】
また、第二のダンパ部９ｂの屈曲片１８がスカート部１２ａの上向きの環状溝１７内に侵入しこの環状溝１７内に接着剤が貯留され、スカート部１２ａ、第一のダンパ部９ａ及びコーン１０の三者で形成される環状溝内に接着剤が貯留され、さらに、連結部材１２のボイスコイルボビン１１に接する箇所の傾斜面２１に多数の細溝２２が形成され傾斜面２１とボイスコイルボビン１１との間の環状溝に接着剤が貯留されるので、連結部材１２とボイスコイルボビン１１、コーン１０及びダンパ９との各接合部の接合力が強化され、大きな振動等が作用しても各接合部の剥がれが好適に防止される。
＜実施の形態２＞
図６に示すように、この実施の形態２では、実施の形態１の場合と異なり、ヨーク２３がフレーム２４の後方よりフレーム２４の凹部内に挿入されるようになっている。
【００３４】
ヨーク２３をフレーム２４に固定するためのスナップ係止手段は、フレーム２４の軸心ａを取り巻くようにヨーク２３の底とフレーム２４の凹部の底に形成された嵌合雌雄部として与えられる。
【００３５】
図６に示すように、雄部はヨーク２３の底板２３ｄの外周から等間隔で放射状に突出する複数個の板片７として形成され、雌部はフレーム２４の嵌め込み穴２の内周に各板片７の嵌り込む溝８として形成される。すべての溝８を結ぶ円上において、すべての溝８の同じ片側には開口８ａが形成され、他の片側にはストッパ８ｂが形成される。これにより、ヨーク２３をその天側からフレーム２４の凹部内にフレーム２４の後方より矢印ｂ方向に挿入し、板片７を溝８内に侵入させてヨーク２３をフレーム２４の軸心ａの回りで矢印ｃ方向に捩ると、各板片７が各溝８内にその開口８ａから入り込みストッパ８ｂに当たって停止する。これにより嵌合雌雄部の嵌合が完了し、ヨーク２３がフレーム２４の適正位置に位置決めされた状態で固定される。
【図面の簡単な説明】
【図１】本発明の実施の形態１に係るスピーカ装置を示す半断面図である。
【図２】図１中、要部の拡大図である。
【図３】図１に示すスピーカ装置の分解斜視図である。
【図４】図１に示すフレームとヨークの分解斜視図である。
【図５】図１に示す連結部材の斜視図である。
【図６】本発明の実施の形態２に係るスピーカ装置を後方から見た分解斜視図である。
【符号の説明】
１…フレーム
３…ヨーク
３ｂ…ヨークの円筒部
６…環状溝
７…板片
９…ダンパ
１０…コーン
１０ａ，２０…屈曲片
１１…ボイスコイルボビン
１２…連結部材
１２ａ…スカート部
１６…リブ
１７…環状溝
２１…傾斜面
２２…溝
ａ…フレームの軸心
【図１】
2004312338.tif 000003
【図２】
2004312338.tif 000004
【図３】
2004312338.tif 000005
【図４】
2004312338.tif 000006
【図５】
2004312338.tif 000007
【図６】
2004312338.tif 000008